(57)【要約】【課題】傘を差し込む段階で常に傘の石突きが袋にあたる部分が一重にならないように工夫することにより傘袋の破断を防止し、水滴の収容が確実であって、かつ、製作操作が容易な傘入れを経済的に提供すると共に、通常は栞として使用しながら携行できる傘入れ、およびその製造方法を提供する。【解決手段】本発明の栞兼用の傘入れは、２つ折りして栞形状となる板状のホルダ体１０と、該２つ折りしたホルダ体に折り畳まれて挟持される傘袋２０を有する。傘袋２０は、薄い合成樹脂製有底筒状袋であって、開口部は２つの開口傘袋部２０Ｔが形成されており、傘袋は該開口傘袋部２０Ｔを残して底部２５を巻き上げ中心としてロール状に巻かれると共に、該開口傘袋部連接面を内側として２つ折りされ、ロール状の傘袋上縁をカバーする開口傘袋部２０Ｔをホルダ体１０に貼着して挟持された構成を具備する。【選択図】図５
2009039251.tif 000002
【特許請求の範囲】
【請求項１】
２つ折りして栞形状となる板状のホルダ体と、
該２つ折りしたホルダ体に折り畳まれて挟持される傘袋、を有する栞兼用傘入れであって、
前記傘袋は、薄い合成樹脂製有底筒状袋であって、開口部は長手方向に伸びる切込みにより形成される２つの開口傘袋部が形成されており、
傘袋は該開口傘袋部を残して底部を巻き上げ中心としてロール状に巻かれると共に、該開口傘袋部連接面を内側として２つ折りされ、
切込み部から傘袋を折り返してロール状傘袋の上縁をカバーする開口傘袋部をホルダ体に貼着して挟持されている栞兼用傘入れ。
【請求項２】
前記ホルダ体の端縁上部には紐・リボンなどの綴じ手段を配設し、収容する傘袋の飛び出しを防止してなる請求項１記載の栞兼用傘入れ。
【請求項３】
２つ折りして栞形状となる板状のホルダ体と、該２つ折りしたホルダ体に折り畳まれて挟持される傘袋を有する栞兼用傘入れの製造方法であって、
薄い合成樹脂製有底筒状の傘袋の開口部分に一対の切込みを入れる工程と、
前記傘袋を該切込み部分を残して底を巻き中心として傘袋をロール状に巻く工程と、
ロール状に巻かれた傘袋を、巻き残されている切込み部の連接側を内側として２つ折りする工程と、
前記切込みから傘袋を折り返してロール状傘袋の上縁をカバーする工程と、
該折り返した傘袋とホルダ体とを貼着する工程とを有し、
ホルダ体の端縁上部に紐・リボンなどの綴じ道具を取り付けホルダ体の２つ折を綴じ合わせた栞兼用傘入れの製造方法。
【発明の詳細な説明】
【技術分野】
【０００１】
本発明は軽量で嵩ばらず、製造が簡単で使用後の破棄が可能であって、廃棄・燃焼時、大気を汚染せず、通常は栞として使用できる携帯用傘入れに関する。
【背景技術】
【０００２】
雨天時に使用の濡れた傘は、車内・ビル内への持込の際、雫の落下による床濡れを発生させた。濡れた床は滑りやすく歩行者には危険であった。
そこで、店舗・公共施設・ホテルなどでは入り口に簡易傘袋を用意している場合が多い。しかし、電車・バス内での不都合は解消されていない。
【０００３】
そのような不便を解消すべく、下記の文献に簡易傘入れが提案されている。
下記特許文献１には、開口部分が露呈するように折り畳んだ、あるいは巻かれた軟質プラスチック製の傘袋が開示され、特許文献２には、濡れた傘を収納する細長い袋状カバー体の開口部に結び部を形成した構成が開示されている。
【特許文献１】特開平９−２５２８１７号公報
【特許文献２】実開昭６２−７５７１２号公報
【発明の開示】
【発明が解決しようとする課題】
【０００４】
これらの開示されている簡易傘袋は袋内に傘を挿入する場合、傘の石突きが当たる袋の先端部分が一重となる構造のため、収納する段階で袋の先端部分を傘の先で突いて袋を破断してしまう不都合があった。そして、破れている部分から収容した水滴が洩れてしまい雨滴収容の役目を果たさなかった。また、筒状の薄いフイルム製の傘袋と筒状のホルダ体との接着作業は困難な作業であった。
また、この種傘入れは常時携行しているものとは限らず、急の雨などに役立たない場合が多かった。さらに一度使用して水滴が付着してしまうと再度使用することがなく、ほとんどの場合使い捨てとなっていた。廃棄された傘入れは焼却処分されるが石油系の合成樹脂で作成されている場合には燃焼により排ガスを排出するので、大気を汚染する危惧があった。
【０００５】
そこで、この発明の傘入れは、傘を差し込む段階で常に傘の石突きが袋にあたる部分が一重にならないように工夫することにより傘袋の破断を防止し、水滴の収容が確実であって、かつ、製作操作が容易な傘入れを経済的に提供すると共に、通常は栞として使用しながら携行できる傘入れ、およびその製造方法を提供する。
【課題を解決するための手段】
【０００６】
上記課題を解決するため、本発明の栞兼用の傘入れは、２つ折りして栞形状となる板状のホルダ体と、該２つ折りしたホルダ体に折り畳まれて挟持される傘袋、を有する。
そして、傘袋は、薄い合成樹脂製有底筒状袋であって、開口部は長手方向に伸びる切込みにより形成される２つの開口傘袋部が形成されており、傘袋は該開口傘袋部を残して底部を巻き上げ中心としてロール状に巻かれると共に、該開口傘袋部連接面を内側として２つ折りされている。さらに、切込み部から傘袋を折り返してロール状傘袋の上縁をカバーする開口傘袋部をホルダ体に貼着して挟持された構成を具備する。
【０００７】
本発明の２つ折りして栞形状となる板状のホルダ体と、該２つ折りしたホルダ体に折り畳まれて挟持される傘袋を有する栞兼用傘入れの製造方法は、薄い合成樹脂製有底筒状の傘袋の開口部分に一対の切込みを入れる工程と、傘袋を該切込み部分を残して底を巻き中心として傘袋をロール状に巻く工程と、ロール状に巻かれた傘袋を、巻き残されている切込み部の連接側を内側として２つ折りする工程と、切込みから傘袋を折り返してロール状傘袋の上縁をカバーする工程と、折り返した傘袋とホルダ体とを貼着する工程とを有し、
ホルダ体の端縁上部に紐・リボンなどの綴じ道具を取り付けホルダ体の２つ折を綴じ合わせる構成を具備する。
【発明の効果】
【０００８】
本発明の栞兼用傘入れは、栞として常時携行でき、降雨時での傘入れとしての使用においては、傘を差し込む段階で常に傘の石突きが袋にあたる部分が一重にならないので傘収納時、傘袋の破断の危惧がなく、水滴の収容が確実である。
本発明の栞兼用傘入れの製造方法は、製作操作が容易で経済的に提供できる。
【発明を実施するための最良の形態】
【０００９】
本発明の実施の形態例を図面を参照して説明する。
図１は本発明の栞兼用傘入れの斜視図、図２は図１線ａ−ａ断面説明図である。
栞兼用傘入れ１００はホルダ体１０と、ホルダ体１０に貼着される傘袋２０とを有する。傘袋２０は折り畳まれてホルダ体１０内に収納されている。
ホルダ体１０は、図３に示すように、横長でその長さ寸法を寸法Ｎ、幅寸法を寸法Ｍとする１枚の紙、あるいは生分解性を有する合成樹脂などより形成される矩形板状体である。ホルダ体１０は一枚の横長矩形板状体の長手方向を半分に折って傘袋２０を挟持する構成を有し、端縁１５は開放状態としている。
端縁１５の上部には小穴１３を穿孔している。そして、２つ折りしたとき、小穴１３は重なってリボンなどの綴じ道具を通して結ぶことにより、折ったホルダが拡開しないようにすることができる。さらに、ホルダ体１０を２つ折りしたとき、ほぼ５〜６ｃｍ×１０〜１１ｃｍの大きさとなり、栞として利用できる大きさとしている。
【００１０】
図４は傘袋２０の構成を示している。傘袋２０は、薄い合成樹脂フイルムよりなる底部２５を有する筒状体であって、上端縁を開口して開口部２０Ａとなっている。傘袋２０は生分解性を有する、例えばポリ乳酸などよりなる樹脂フイルムなどで形成することにより廃棄処理による環境汚染を防止することができる。
傘袋２０の開口部２０Ａには長手方向に伸びる切断した切り込み部２１を形成している。この切込み部２１は開口部２０Ａの対向位置に２箇所（一対）形成され、長さはホルダ体１０の幅寸法Ｍの１／２〜２／３程度の寸法としている。
この傘袋２０は、折り畳まれた状態でホルダ体１０に収納される。
【００１１】
次に、傘袋２０の折り畳み方を図５を参照して説明する。図５は構成説明の便宜上誇大、模型化して表示している。
傘袋２０は底部２５を巻き中心として巻き始め、ロール状に巻き上げる。このときの巻き幅はほぼホルダ体１０の幅寸法Ｍの２倍弱とする。巻き終わりは開口部２０Ａを巻き込まずに、切込み２１を残した状態とする。傘袋は残された切込み部分により傘袋２０上部に２つの開口傘袋部２０Ｔが形成される。巻き終わり側の開口傘袋部２０Ｔは、図５（ａ）に示すように、ロール状の傘袋から突出している。
次に、この状態の傘袋２０をホルダ体１０に収容・挟持されるように折り畳む。
ロール状に巻き上げた傘袋２０の巻き終わり側、開口傘袋部２０Ｔを連接している側を内側面となるように、ロール形状に巻かれている傘袋を中心位置２０Ｈから２つ折りする。・・・図５（ｂ）参照
次に、開口傘袋部２０Ｔを切込み部２１から折り返すと、開口傘袋部２０Ｔは２つ折りされたロール状の傘袋２０の上縁をそれぞれカバーする。
【００１２】
このように折り畳まれた傘袋２０をホルダ体１０に取り付ける。・・図６参照
先ず、開口傘袋部２０Ｔを切り込み部２１，２１から反転して、折り畳まれている傘袋２０のそれぞれの上部を被覆する。この状態で傘入れ１００の開口２９が形成される。
次に、ホルダ体１０の長手方向半面、例えば折り曲げた半面を１０Ａ、他の面を１０Ｂとすると、ホルダ体半面１０Ａ（あるいは１０Ｂ）に折り畳んだ傘袋２０を貼着する。切込み部２１を反転させた開口傘袋部２０Ｔに接着剤３０を付ける。そして、ホルダ体の半面１０Ａ（あるいは１０Ｂ）の傘袋を取り付ける位置に接着剤３０を塗布し傘袋２０を貼着する。
そして、ホルダ体１０の残りの半分の部分１０Ｂ（あるいは１０Ａ）を折り曲げて、傘袋２０の反対面の半面に貼着する。
この貼着時において、開口傘袋部２０Ｔの上部のみを糊代とすると、開口傘袋部２０Ｔの上部のみがホルダ体１０の上部に貼着され、開口傘袋部２０Ｔの下側半分は接着剤が付いていないので、接着剤のはみ出しがあってもホルダ体と折り畳まれている傘袋２０とを接着する危惧がなくなる。
【００１３】
この栞兼用の傘入れの製作は、ロール状に巻き上げた袋を２つ折りすることによりホルダ体への収容形態となり、傘袋の折り畳み操作が簡素化される。さらに、折り畳んだ傘袋２０の開口傘袋部２０Ｔを折り返してロール状傘袋の上縁をカバーする動作と、板状のホルダ体１０に片面を貼着し、反対面の開口傘袋部２０Ｔにホルダ体１０を折り重ねる動作でホルダ体１０と傘袋２０の固着が完了する。
【００１４】
そして、小穴１３に綴じ道具である細巾リボン４０などの紐を通して結ぶと、２つ折りしたホルダ体が開くことがなく、ホルダ体１０に収容、折り畳まれて挟持されている傘袋が不用意に飛び出して拡開してしまうことがなくなる。さらに、傘袋を収容したホルダ体は嵩張らず、ほぼ栞の寸法を有しているので、通常は栞として携行し、使用することができる。
このように構成することにより、２つ折のホルダ体１０に、上部の開口傘袋部２０Ｔのみが貼着されると共に開口２９を形成した折り畳まれた傘袋２０が収容され、栞兼用の携帯傘入れ１００が完成する。
また、ホルダ体１０の表面に広告文章６０、例えば「アイ会社」などを記載することにより、宣伝効果を付加することができる。
【００１５】
次に、栞兼用携帯傘入れ１００の使用法を説明する。・・図７、図８参照
携行時は栞として本の間に挟む、あるいはバッグなどに入れて所持する。
傘入れとして使用時には、傘５０の石突き部５３を携帯傘入れ１００の傘袋２０の開口部２９に挿入する。挿入に従って石突き部５３が２つ折り部２０Ｈに突き当たる。このときの傘袋２０は重なりあっている。さらに石突き部５３を深く挿入すると、傘袋２０のロール巻きが解かれてゆき伸ばされてゆく。さらに石突き部５３を押し込んでも、石突き部５３が当たっている部分は傘袋２０の底部２５に到達するまで多重となっており、傘袋２０を石突き部５３で突き破ることが無い。
図８は使用状態を示す。傘袋２０は栞（ホルダ体１０）に上端を固定した状態で傘５０を被覆することができる。また、栞兼用傘入れ１００を傘５０を挿入して所持することにより、広告文字６０が露出して宣伝効果を発揮する。
【図面の簡単な説明】
【００１６】
【図１】本発明の栞兼用傘入れの斜視図
【図２】図１の線ａ−ａ断面図
【図３】ホルダ体の平面説明図
【図４】傘袋の斜視図
【図５】傘袋の畳み方の説明図
【図６】傘袋のホルダへの取り付け工程説明図
【図７】傘挿入時の使用状態説明図
【図８】栞兼用傘入れの使用状態説明図
【符号の説明】
【００１７】
１０  ホルダ体
２０  傘袋
２０Ｔ  開口傘袋部
２１  切込み部
２５  底部
３０  接着剤
４０  リボン
５０  傘
５３  石突き部
６０  広告
１００  栞兼用傘入れ
【図１】
2009039251.tif 000003
【図２】
2009039251.tif 000004
【図３】
2009039251.tif 000005
【図４】
2009039251.tif 000006
【図５】
2009039251.tif 000007
【図６】
2009039251.tif 000008
【図７】
2009039251.tif 000009
【図８】
2009039251.tif 000010